(57)【要約】  【課題】  画像データに適した画像処理装置又は出力プロファイルの選択を可能にする画像処理システムを提供する。  【解決手段】  画像処理システム１は、クライアントＰＣ４及び複数のプリンタ装置１０を含む。クライアントＰＣ４（画像処理プログラム５）は、入力された元画像データに基づいて、複数のプリンタ装置１０それぞれの色再現域に応じた色圧縮処理を行い複数のシミュレート画像を生成する。クライアントＰＣ４は、元画像及び複数のシミュレート画像を同一画面上に並べて表示することにより、所望の色味を実現するプリンタ装置の選択を可能にする。【選択図】図４
2006094118.tif 000002
【特許請求の範囲】
【請求項１】
第１の表色系で表現された第１表色系画像に対して、画像データの調整を行う画像調整手段と、
前記画像調整手段により調整された第１表色系画像に基づいて、複数の画像出力特性に対応した複数の画像データを生成する画像生成手段と、
前記画像生成手段により生成された複数の画像データに基づいて、複数の出力画像を表示する表示手段と
を有する画像処理装置。
【請求項２】
前記表示手段は、複数の出力画像と、前記第１表色系画像とを同一の画面で表示する
請求項１に記載の画像処理装置。
【請求項３】
前記画像生成手段は、前記画像調整手段により調整された第１表色系画像に基づいて、第２の表色系で表現された複数の出力画像の画像データを生成し、
前記画像生成手段により生成された複数の出力画像の画像データを、第１表色系で表現された複数の出力画像の画像データに変換する逆変換手段
をさらに有し、
前記表示手段は、前記逆変換手段により変換された第１表色系の画像データを用いて、複数の出力画像を表示する
請求項１又は２に記載の画像処理装置。
【請求項４】
前記画像調整手段により調整される調整内容を、複数の画像出力特性に対応付けて記憶する調整履歴記憶手段
をさらに有する請求項１に記載の画像処理装置。
【請求項５】
第１の表色系で表現された第１表色系画像に対して、画像データの調整を行い、
調整された第１表色系画像に基づいて、複数の画像出力特性に対応した複数の画像データを生成し、
生成された複数の画像データに基づいて、複数の出力画像を表示する
画像処理方法。
【請求項６】
コンピュータを含む画像処理装置において、
第１の表色系で表現された第１表色系画像に対して、画像データの調整を行うステップと、
調整された第１表色系画像に基づいて、複数の画像出力特性に対応した複数の画像データを生成するステップと、
生成された複数の画像データに基づいて、複数の出力画像を表示するステップと
を前記画像処理装置のコンピュータに実行させるプログラム。
【発明の詳細な説明】
【技術分野】
【０００１】
本発明は、画像の調整結果を確認するための画像処理装置に関する。
【背景技術】
【０００２】
例えば、特許文献１は、プルーフ用の調整画像及びチャート画像について、色変換前後の画像をそれぞれ別ウインドウとして並列に表示し、これらウインドウのいずれかにおいて、調整対象となる任意の色範囲を選択し、選択された色範囲についての調整パラメータを設定し、この調整パラメータに基づいて色変換条件を調整する画像処理方法を開示する。
【特許文献１】特開２００３−８７５９１号公報
【発明の開示】
【発明が解決しようとする課題】
【０００３】
本発明は、上述した背景からなされたものであり、画像データに適した画像処理装置又は出力プロファイルの選択を可能にする画像処理装置を提供することを目的とする。
【課題を解決するための手段】
【０００４】
［画像処理装置］
上記目的を達成するために、本発明にかかる画像処理装置は、第１の表色系で表現された第１表色系画像に対して、画像データの調整を行う画像調整手段と、前記画像調整手段により調整された第１表色系画像に基づいて、複数の画像出力特性に対応した複数の画像データを生成する画像生成手段と、前記画像生成手段により生成された複数の画像データに基づいて、複数の出力画像を表示する表示手段とを有する。
【０００５】
好適には、前記表示手段は、複数の出力画像と、前記第１表色系画像とを同一の画面で表示する。
【０００６】
好適には、前記画像生成手段は、前記画像調整手段により調整された第１表色系画像に基づいて、第２の表色系で表現された複数の出力画像の画像データを生成し、前記画像生成手段により生成された複数の出力画像の画像データを、第１表色系で表現された複数の出力画像の画像データに変換する逆変換手段をさらに有し、前記表示手段は、前記逆変換手段により変換された第１表色系の画像データを用いて、複数の出力画像を表示する。
【０００７】
好適には、前記画像調整手段により調整される調整内容を、複数の画像出力特性に対応付けて記憶する調整履歴記憶手段をさらに有する。
【０００８】
［画像処理方法］
また、本発明にかかる画像処理方法は、第１の表色系で表現された第１表色系画像に対して、画像データの調整を行い、調整された第１表色系画像に基づいて、複数の画像出力特性に対応した複数の画像データを生成し、生成された複数の画像データに基づいて、複数の出力画像を表示する。
【０００９】
［プログラム］
また、本発明にかかるプログラムは、コンピュータを含む画像処理装置において、第１の表色系で表現された第１表色系画像に対して、画像データの調整を行うステップと、調整された第１表色系画像に基づいて、複数の画像出力特性に対応した複数の画像データを生成するステップと、生成された複数の画像データに基づいて、複数の出力画像を表示するステップとを前記画像処理装置のコンピュータに実行させる。
【発明の効果】
【００１０】
本発明の画像処理装置によれば、画像データに適した画像処理装置又は出力プロファイルを選択することができる。
【発明を実施するための最良の形態】
【００１１】
［システム構成］
まず、本発明が適用される画像処理システム１の全体構成を説明する。
図１は、画像処理システム１の全体構成を例示する図である。
図１に例示するように、画像処理システム１は、クライアントＰＣ４及びプリンタ装置１０を有する。クライアントＰＣ４及び複数のプリンタ装置１０は、ＬＡＮ又はＷＡＮなどで構成されたネットワークを介して互いに接続している。
クライアントＰＣ４は、ユーザが画像処理などに用いる汎用コンピュータである。
【００１２】
［プリンタ装置］
次に、本発明が適用されるプリンタ装置１０について説明する。
図２は、タンデム型のプリンタ装置１０の構成を示す図である。
図２に示すように、プリンタ装置１０は、画像読取ユニット１２、画像形成ユニット１４、中間転写ベルト１６、用紙トレイ１７、用紙搬送路１８、定着器１９及び画像処理装置２０を有する。このプリンタ装置１０は、クライアントＰＣ４（図１）からクライアントＰＣ４を介して受信した画像データを印刷するプリンタ機能に加えて、画像読取装置１２を用いたフルカラー複写機としての機能、及び、ファクシミリとしての機能を兼ね備えた複合機であってもよい。
【００１３】
まず、プリンタ装置１０の概略を説明すると、プリンタ装置１０の上部には、画像読取装置１２及び画像処理装置２０が配設され、画像データの入力手段として機能する。画像読取装置１２は、原稿に表示された画像を読み取って、画像処理装置２０に対して出力する。画像処理装置２０は、画像読取装置１２から入力された画像データ、又は、ＬＡＮなどのネットワーク（図１）を介してクライアントＰＣ４等から入力された画像データに対して、色変換、階調補正及び解像度補正などの画像処理を施し、画像形成ユニット１４に対して出力する。
画像読取装置１２の下方には、カラー画像を構成する色に対応して、複数の画像形成ユニット１４が配設されている。本例では、黒（Ｋ）、イエロー（Ｙ）、マゼンタ（Ｍ）、シアン（Ｃ）の各色に対応して第１の画像形成ユニット１４Ｋ、第２の画像形成ユニット１４Ｙ、第３の画像形成ユニット１４Ｍ及び第４の画像形成ユニット１４Ｃが、中間転写ベルト１６に沿って一定の間隔を空けて水平に配列されている。中間転写ベルト１６は、中間転写体として図中矢印Ａの方向に回動し、これら４つの画像形成ユニット１４Ｋ、１４Ｙ、１４Ｍ、１４Ｃは、画像処理装置２０から入力された画像データに基づいて各色のトナー像を順次形成し、これら複数のトナー像が互いに重ね合わせられるタイミングで中間転写ベルト１６に転写（一次転写）する。なお、各画像形成ユニット１４Ｋ、１４Ｙ、１４Ｍ、１４Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。
【００１４】
用紙搬送路１８は、中間転写ベルト１６の下方に配設されている。用紙トレイ１７から供給された記録用紙３２は、この用紙搬送路１８上を搬送され、上記中間転写ベルト１６上に多重に転写された各色のトナー像が一括して転写（二次転写）され、転写されたトナー像が定着器１９によって定着され、矢印Ｂに沿って外部に排出される。
【００１５】
次に、プリンタ装置１０の各構成についてより詳細に説明する。
図２に示すように、画像読取ユニット１２は、原稿を載せるプラテンガラス１２４と、この原稿をプラテンガラス１２４上に押圧するプラテンカバー１２２と、プラテンガラス１２４上に載置された原稿の画像を読み取る画像読取装置１３０とを有する。この画像読取装置１３０は、プラテンガラス１２４上に載置された原稿を光源１３２によって照明し、原稿からの反射光像を、フルレートミラー１３４、第１のハーフレートミラー１３５、第２のハーフレートミラー１３６及び結像レンズ１３７からなる縮小光学系を介して、ＣＣＤ等からなる画像読取素子１３８上に走査露光して、この画像読取素子１３８によって原稿３０の色材反射光像を所定のドット密度（例えば、１６ドット／ｍｍ）で読み取るように構成されている。
【００１６】
画像処理装置２０は、画像読取ユニット１２により読み取られた画像データに対して、シェーディング補正、原稿の位置ズレ補正、明度／色空間変換、ガンマ補正、枠消し、色／移動編集等の所定の画像処理を施す。なお、画像読取ユニット１２により読み取られた原稿の色材反射光像は、例えば、赤（Ｒ）、緑（Ｇ）、青（Ｂ）（各８ｂｉｔ）の３色の原稿反射率データであり、画像処理装置２０による画像処理によって、イエロー（Ｙ）、マゼンタ（Ｍ）、シアン（Ｃ）、黒（Ｋ）（各８ｂｉｔ）の４色の原稿色材階調データに変換される。
【００１７】
第１の画像形成ユニット１４Ｋ、第２の画像形成ユニット１４Ｙ、第３の画像形成ユニット１４Ｍ及び第４の画像形成ユニット１４Ｃ（像形成手段）は、水平方向に一定の間隔をおいて並列的に配置され、形成する画像の色が異なる他は、ほぼ同様に構成されている。そこで、以下、第１の画像形成ユニット１４Ｋについて説明する。なお、各画像形成ユニット１４の構成は、Ｋ、Ｙ、Ｍ又はＣを付すことにより区別する。
画像形成ユニット１４Ｋは、画像処理装置２０から入力された画像データに応じてレーザ光を走査する光走査装置１４０Ｋと、この光走査装置１４０Ｋにより走査されたレーザ光により静電潜像が形成される像形成装置１５０Ｋとを有する。
【００１８】
光走査装置１４０Ｋは、半導体レーザ１４２Ｋを黒色（Ｋ）の画像データに応じて変調して、この半導体レーザ１４２Ｋからレーザ光ＬＢ（Ｋ）を画像データに応じて出射する。この半導体レーザ１４２Ｋから出射されたレーザ光ＬＢ（Ｋ）は、第１の反射ミラー１４３Ｋ及び第２の反射ミラー１４４Ｋを介して回転多面鏡１４６Ｋに照射され、この回転多面鏡１４６Ｋよって偏向走査され、第２の反射ミラー１４４Ｋ、第３の反射ミラー１４８Ｋ及び第４の反射ミラー１４９Ｋを介して、像形成装置１５０Ｋの感光体ドラム１５２Ｋ上に照射される。
像形成装置１５０Ｋは、矢印Ａの方向に沿って所定の回転速度で回転する像担持体としての感光体ドラム１５２Ｋと、この感光体ドラム１５２Ｋの表面を一様に帯電する帯電手段としての一次帯電用のスコロトロン１５４Ｋと、感光体ドラム１５４Ｋ上に形成された静電潜像を現像する現像器１５６Ｋと、クリーニング装置１５８Ｋとから構成されている。感光体ドラム１５２Ｋは、スコロトロン１５４Ｋにより一様に帯電され、光走査装置１４０Ｋにより照射されたレーザ光ＬＢ（Ｋ）により静電潜像を形成される。感光体ドラム１５２Ｋに形成された静電潜像は、現像器１５６Ｋにより黒色（Ｋ）のトナーで現像され、中間転写ベルト１６に転写される。なお、トナー像の転写工程の後に感光体ドラム１５２Ｋに付着している残留トナー及び紙粉等は、クリーニング装置１５８Ｋによって除去される。
他の画像形成ユニット１４Ｙ、１４Ｍ及び１４Ｃも、上記と同様に、イエロー（Ｙ）、マゼンタ（Ｍ）、シアン（Ｃ）の各色のトナー像を形成し、形成された各色のトナー像を中間転写ベルト１６に転写する。
【００１９】
中間転写ベルト１６は、ドライブロール１６４と、第１のアイドルロール１６５と、ステアリングロール１６６と、第２のアイドルロール１６７と、バックアップロール１６８と、第３のアイドルロール１６９との間に一定のテンションで掛け回されており、駆動モータ（不図示）によってドライブロール１６４が回転駆動されることにより、矢印Ａの方向に所定の速度で循環駆動される。この中間転写ベルト１６は、例えば、可撓性を有するポリイミド等の合成樹脂フィルムを帯状に形成し、この帯状に形成された合成樹脂フィルムの両端を溶着等によって接続することにより無端ベルト状に形成されたものである。
また、中間転写ベルト１６には、各画像形成ユニット１４Ｋ、１４Ｙ、１４Ｍ、１４Ｃに対向する位置にそれぞれ第１の一次転写ロール１６２Ｋ、第２の一次転写ロール１６２Ｙ、第３の一次転写ロール１６２Ｍ及び第４の一次転写ロール１６２Ｃが配設され、感光体ドラム１５２Ｋ、１５２Ｙ、１５２Ｍ、１５２Ｃ上に形成された各色のトナー像は、これらの一次転写ロール１６２により中間転写ベルト１６上に多重に転写される。なお、中間転写ベルト１６に付着した残留トナーは、二次転写位置の下流に設けられたベルト用クリーニング装置１８９のクリーニングブレード又はブラシにより除去される。
【００２０】
用紙搬送路１８には、用紙トレイ１７から記録用紙３２を取り出す給紙ローラ１８１と、用紙搬送用の第１のローラ対１８２、第２のローラ対１８３及び第３のローラ対１８４と、記録用紙３２を既定のタイミングで二次転写位置に搬送するレジストロール１８５とが配設される。
また、用紙搬送路１８上の二次転写位置には、バックアップロール１６８に圧接する二次転写ロール１８５が配設されており、中間転写ベルト１６上に多重に転写された各色のトナー像は、この二次転写ロール１８５による圧接力及び静電気力で記録用紙３２上に二次転写される。各色のトナー像が転写された記録用紙３２は、第１の搬送ベルト１８６及び第２の搬送ベルト１８７によって定着器１９へと搬送される。
定着器１９は、上記各色のトナー像が転写された記録用紙３２に対して加熱処理及び加圧処理を施すことにより、トナーを記録用紙３２に溶融固着させる。
【００２１】
［クライアントＰＣ］
次に、本発明が適用されるクライアントＰＣ４について説明する。
図３は、本発明にかかる画像処理方法が適応されるクライアントＰＣ４のハードウェア構成を、制御装置４０を中心に例示する図である。
図３に例示するように、クライアントＰＣ４は、ＣＰＵ４０２及びメモリ４０４などを含む制御装置４０、通信装置４２、ＨＤＤ・ＣＤ装置などの記録装置４４、並びに、ＬＣＤ表示装置あるいはＣＲＴ表示装置およびキーボード・タッチパネルなどを含むユーザインターフェース装置（ＵＩ装置）４６から構成される。
【００２２】
［背景］
ディジタルカメラ又はスキャナなどの画像入力装置で取得されたＲＧＢ画像の確認及び画像調整は、ディスプレイに表示させた状態でなされていた（画像調整後の確認も同様にディスプレイ上）。一方、色校正後にクレームがついた場合などには、ＣＭＹＫ画像に対する画像調整がなされていた。
これは、ＲＧＢ画像の段階で確認することは、画像入力装置による撮影又はスキャニング等が正しく行われているか否かを確認するために必要であるが、ＣＭＫＹ画像に変換し印刷した後の仕上がりを確認できない、および、仕上がりを確認しながらの画像調整を行えないという欠点があったためである。なお、ＲＧＢ画像による画質調整は、広い色域で調整できるという利点がある。
【００２３】
特開２００３−８７５９１号公報には、印刷用とプリンタ用のプレビュー画面を表示して、これらをディスプレイで見比べながら、調整できる。しかし、対象は、ターゲットとプリンタ用おのおの一つである。したがって、複数の出力デバイスをもっており、画像を出力するにあたりどの出力デバイスが最も適しているかを選択できない。
【００２４】
そこで、本実施形態における画像処理システム１は、複数の出力デバイス（プリンタ装置１０）の画像出力特性に応じて、複数のシミュレート画像を生成し、生成されたシミュレート画像を同一画面上に表示する。
これにより、複数の出力デバイスで出力した出力画像をシミュレートすることができるため、画像出力に適した出力デバイスを選択することができる。なお、本実施形態では、複数の出力デバイス（プリンタ装置）が存在する場合を具体例として説明するが、これに限定されるものではなく、単一の出力デバイスに複数の画像出力特性（プロファイル）が存在する場合も同様に本発明を適用できる。
【００２５】
［画像処理プログラム］
図４は、クライアントＰＣ４（図１，図３）により実行され、本発明にかかる画像処理方法を実現する画像処理プログラム５の機能構成を例示する図である。
図４に例示するように、画像処理プログラム５は、画像入力部５１０、プロファイル取得部５２０、表示画像生成部５３０、調整指示入力部５４０、調整量算出部５５０、調整履歴蓄積部５６０及び表示部５７０を有する。
【００２６】
画像処理プログラム５において、画像入力部５１０は、ユーザの操作に応じて、入力された画像データを取得し、取得された画像データを表示画像生成部５２０に出力する。画像入力部５１０は、例えば、プリンタ装置１０から、画像読取ユニット１２で読み取られた画像データ（ＲＧＢ画像）を取得し、取得された画像データ（ＲＧＢ画像）を表示画像生成部５２０に出力する。この画像データは、画像入力装置（画像読取ユニット１２）に依存する色空間のデータ（入力表色系画像）である。
【００２７】
プロファイル取得部５２０は、画像出力装置の画像出力特性と、画像入力装置の画像入力特性とを取得し、取得された画像出力特性及び画像入力特性を表示画像生成部５３０に出力する。
画像出力装置とは、画像データに基づいて出力画像を表示又は印刷等する装置であり、例えば、プリンタ装置１０、ＵＩ装置４６（ディスプレイ）等である。そして、画像出力特性とは、例えば、プリンタ装置１０又はＵＩ装置４６等の出力プロファイルであり、画像出力装置の表色系画像を装置に依存しない表色系の画像（例えばＬａｂ画像）に変換する変換処理を規定する情報である。
また、画像入力装置とは、画像データを生成する装置であり、例えば、ディジタルカメラ、画像読取ユニット１２（スキャナ）等である。そして、画像入力特性とは、例えば、ディジタルカメラ又は画像読取ユニット１２の入力プロファイルであり、画像入力装置の表色系画像を装置に依存しない表色系の画像（Ｌａｂ画像）に変換する変換処理を規定する情報である。なお、本実施形態におけるプロファイルは、例えば、ＩＣＣプロファイルである。
【００２８】
表示画像生成部５３０は、画像入力部５１０から入力された画像データ（入力表色系画像）に基づいて、表示用の元画像の画像データを生成する。より具体的には、表示画像生成部５３０は、プロファイル取得部５２０から入力された入力プロファイルを用いて、画像入力部５１０から入力された画像データ（入力表色系画像）を、装置に依存しない色空間（以下、非依存色空間という）の画像データ（中間表色系画像）に変換し、次に、プロファイル取得部５２０から入力されたＵＩ装置４６の出力プロファイルを用いて、この中間表色系画像の画像データを、ＵＩ装置４６の色空間（以下、表示色空間という）の画像データ（表示表色系画像）に変換する。
【００２９】
また、表示画像生成部５３０は、画像入力部５１０から入力された画像データ（入力表色系画像）に基づいて、シミュレート画像の画像データを生成する。より具体的には、表示画像生成部５３０は、プロファイル取得部５２０から入力された入力プロファイルを用いて、画像入力部５１０から入力された画像データ（入力表色系画像）を、非依存色空間の画像データ（中間表色系画像）に変換し、次に、プロファイル取得部５２０から入力されたプリンタ装置１０の出力プロファイルを用いて、この中間表色系画像の画像データに対して色域圧縮処理を施し、色域圧縮処理が施された中間表色系画像の画像データを、表示色空間の画像データ（シミュレート画像）に変換する。
本例の表示画像生成部５３０は、プリンタ装置の出力プロファイルの数だけ、シミュレート画像を生成する。
【００３０】
調整指示入力部５４０は、ＵＩ装置４６等を介して、ユーザから画像調整の指示を受け付ける。画像調整は、例えば、ガンマ値の調整、ＲＧＢ値の調整、又はＬＣＨの調整などであり、調整対象となる画像（元画像、複数のシミュレート画像）を指定して入力される。
調整指示入力部５４０は、ユーザから受け付けた画像調整の指示を、調整量算出部５５０に出力する。
【００３１】
調整量算出部５５０は、調整指示入力部５４０から入力された画像調整指示に基づいて、画像に反映させる調整量を算出し、算出された調整量を調整対象となる画像（元画像、複数のシミュレート画像）に対応付けて表示画像生成部５３０及び調整履歴蓄積部５６０に出力する。
この場合、表示画像生成部５３０は、出力プロファイル（ＵＩ装置の出力プロファイル及びプリンタ装置の出力プロファイル）を用いて、調整量算出部５５０から入力された調整量を、指定された画像（元画像、複数のシミュレート画像）に反映させる。調整量を反映させる手法としては、表示画像生成部５３０は、画像データそのものに調整量を反映させてもよいし、プロファイルに調整量を反映させてもよい。画像データそのものに調整量を反映させる形態では、画像処理プログラム５は、画像データのデータ間隔（例えば、２５６階調の画素値で画像データが表現されている場合に、１階調）を単位として画像を調整できる。また、プロファイルに調整量を反映させる形態では、画像処理プログラム５は、調整量が反映されたプロファイルを他の画像に適用することにより、他の画像にも同様の画像調整を行うことができる。
【００３２】
調整履歴蓄積部５６０は、調整量算出部５５０から入力された調整量を、調整対象として指定された画像（元画像、複数のシミュレート画像）に対応付けて格納する。
図５は、調整履歴蓄積部５６０に記憶される調整履歴データベース５６２を例示する図である。
図５に例示するように、調整履歴蓄積部５６０は、調整量算出部５５０から入力された調整量を、元画像又は複数のシミュレート画像（プロファイル）に対応付けて格納する。本例では、プリンタ装置の３つのプロファイル（すなわち、シミュレート画像）に対応付けて、それぞれのシミュレート画像に反映させた調整量が格納されている。また、本図における「ｎｕｌｌ」は、画像調整が適用されていないことを意味し、「プロファイル３」に対応するシミュレート画像は、「画像調整処理００１」のみが適用されていることを示す。
画像処理プログラム５は、調整履歴データベース（調整履歴ＤＢ）５６２を参照することにより、以前になされた画像調整の時点までさかのぼることができると共に、ある時点で１つのシミュレート画像に適用されていた画像調整を、任意の時点で他のシミュレート画像又は元画像に適用させることができる。
【００３３】
表示部５７０は、ＵＩ装置４６を制御して、表示画像生成部５３０から入力された元画像の画像データ及びシミュレート画像の画像データに基づいて、元画像及びシミュレート画像を同一画面上に並べて表示する。なお、表示画像生成部５３０から入力される元画像の画像データ及びシミュレート画像の画像データは、表示用表色系画像である。
図６は、ＵＩ装置４６に表示される表示画面７００を例示する図である。
図６に例示するように、表示部５７０は、シミュレート画像などが表示される画像表示領域７１０、及び、画像調整の調整量を指定する調整量指定領域７２０等が含まれた表示画像７００をＵＩ装置４６に表示させる。
画像表示領域７１０には、複数の出力プロファイル（プリンタ装置の出力プロファイル）に対応する複数のシミュレート画像７１２と、これらのシミュレート画像に対応する元画像７１４とが表示される。
調整量指定領域７２０には、ガンマ調整量を指定するためのスライダーバーが設けられたガンマ調整領域７２２と、ＲＧＢ値の調整量を指定するためのスライダーバーが設けられたＲＧＢ調整領域７２４と、明度、彩度及び色相の調整量を指定するためのスライダーバーが設けられたＬＣＨ調整領域７２６とが表示される。
また、表示画面７００には、画像調整の対象を指定する第１の対象指定領域７３０及び第２の対象指定領域７４０が含まれている。
第１の対象指定領域７３０は、調整量指定領域７２０において指定された調整量を適用する対象を指定する領域であり、調整量を全画像（元画像及び複数のシミュレート画像）に適用させるための操作ボタン７３２と、調整量を適用させる画像（元画像又はシミュレート画像）を選択するためのプルダウンメニュー７３４とを含む。すなわち、第１の対象指定領域７３０において、いずれかの画像が選択されると、調整量算出部５５０は、選択された画像に対する調整量を算出し、表示画像生成部５３０は、算出された調整量を、選択された画像に適用して、画像表示領域７１０に表示された画像を更新する。
第２の対象指定領域７４０は、１つの画像（元画像又はシミュレート画像）に対して施された画像調整を、他の画像（元画像又はシミュレート画像）に対して反映させる操作を受け付ける領域であり、基準となる画像（元画像又はシミュレート画像）を選択するためのプルダウンメニュー７４２と、基準となる画像の画像調整を反映させる画像（元画像又はシミュレート画像）を選択するためのプルダウンメニュー７４４とを含む。すなわち、第２の対象指定領域７４０において、画像調整の基準となる画像と、画像調整を反映させる画像とが選択されると、調整履歴蓄積部５６０は、基準となる画像に対して施されている調整量を特定し、表示画像生成部５３０は、特定された調整量に基づいて、画像調整を反映させる画像に対する調整量を算出し、算出された調整量をこの画像に反映させて、画像表示領域７１０に表示された画像を更新する。
【００３４】
［画像処理動作］
次に、画像処理プログラム５の動作を説明する。
図７は、クライアントＰＣ４（画像処理プログラム５）によるシミュレート処理（Ｓ１０）を説明するフローチャートである。
図７に示すように、ステップ１００（Ｓ１００）において、画像入力部５１０（図４）は、プリンタ装置１０から、画像読取ユニット１２により原稿から読み取られた元画像データ（入力表色系画像）を取得し、取得された元画像データを表示画像生成部５３０に出力する。
また、プロファイル取得部５２０は、この画像読取ユニット１２の入力プロファイルと、ユーザに指定された複数のプリンタ装置１０の出力プロファイルとを取得し、取得された入力プロファイル及び出力プロファイルを表示画像生成部５３０に出力する。なお、本例では、ＵＩ装置４６の出力プロファイルは、予め表示画像生成部５３０に保持されている。また、画像読取ユニット１２の入力プロファイル、又は、プリンタ装置１０の出力プロファイルも、予め表示画像生成部５３０に保持されていてもよい。
【００３５】
ステップ１１０（Ｓ１１０）において、表示画像生成部５３０は、画像読取ユニット１２の入力プロファイルを用いて、元画像データ（入力表色系画像）を、非依存色空間（Ｌａｂ色空間）の元画像データ（中間表色系画像）に変換する。
【００３６】
ステップ１２０（Ｓ１２０）において、表示画像生成部５３０は、Ｌａｂ色空間の元画像データ（中間表色系画像）と、ＵＩ装置４６の出力プロファイルとを用いて、表示用の元画像データ（表示表色系画像）を生成する。
【００３７】
ステップ１３０（Ｓ１３０）において、表示画像生成部５３０は、ユーザに指定されたプリンタ装置１０の出力プロファイル（色域情報）が保持しているか否かを判定し、出力プロファイル（色域情報）を保持している場合に、Ｓ１４０の処理に移行し、出力プロファイル（色域情報）を保持していない場合に、Ｓ１５０の処理に移行する。
【００３８】
ステップ１４０（Ｓ１４０）において、表示画像生成部５３０は、指定されたプリンタ装置の出力プロファイルを用いて、非依存色空間（Ｌａｂ色空間）の元画像データ（中間表色系画像）に対して、指定されたプリンタ装置の色域に応じた色圧縮処理を行い、このプリンタ装置に対応するシミュレート画像データ（Ｌａｂ色空間）を生成する。
【００３９】
ステップ１５０（Ｓ１５０）において、表示画像生成部５３０は、非依存色空間（Ｌａｂ色空間）の元画像データ（中間表色系画像）に対して、デフォルトの色域圧縮処理を行い、標準的なプリンタ装置に対応するシミュレート画像データ（Ｌａｂ色空間）を生成する。すなわち、デフォルトの色域圧縮処理は、標準的なプリンタ装置の色域を基準として予め規定されている。
【００４０】
ステップ１６０（Ｓ１６０）において、表示画像生成部５３０は、生成されたシミュレート画像データ（Ｌａｂ色空間）を、ＵＩ装置４６の出力プロファイルを用いて、表示用のシミュレート画像データ（表示表色系のシミュレート画像）に変換する。
【００４１】
ステップ１７０（Ｓ１７０）において、表示画像生成部５３０は、元画像データとシミュレート画像データとを互いに対応付けておく。
【００４２】
ステップ１８０（Ｓ１８０）において、表示画像生成部５３０は、指定されたプリンタ装置全てについて、シミュレート画像データを生成したか否かを判断し、指定された全プリンタ装置に対応するシミュレート画像データが生成された場合に、Ｓ１９０の処理に移行し、全プリンタ装置に対応するシミュレート画像データが生成されていない場合に、Ｓ１３０の処理に戻って、次のプリンタ装置に対応するシミュレート画像データを生成する。すなわち、本例の表示画像生成部５３０は、複数のプリンタ装置１０が指定されている場合に、それぞれのプリンタ装置１０の画像出力特性に応じたシミュレート画像データを順に生成する。
【００４３】
ステップ１９０（Ｓ１９０）において、表示部５７０は、表示画像生成部５３０に生成された元画像データ及びシミュレート画像データに基づいて、元画像及びシミュレート画像をＵＩ装置４６に表示する。元画像及びシミュレート画像は、図６に例示するように、画像表示領域７１０に並んで表示される。
【００４４】
図８は、クライアントＰＣ４（画像処理プログラム５）による画像調整処理（Ｓ２０）を説明するフローチャートである。
図８に示すように、ステップ２００（Ｓ２００）において、表示部５７０（図４）は、図６に例示するように、調整量指定領域７２０、第１の対象指定領域７３０及び第２の対象指定領域７４０等が含まれている表示画面７００をＵＩ装置４６に表示させる。
調整指示入力部５４０は、画像調整の指示が入力されるまで待機し、画像調整の指示が入力されると、Ｓ２１０の処理に移行する。
【００４５】
ステップ２１０（Ｓ１１０）において、調整指示入力部５４０は、図６に例示した調整量指定領域７２０、第１の対象指定領域７３０又は第２の対象指定領域７４０において、画像調整の指示を受け付けると、受け付けた画像調整の指示を調整量算出部５５０に出力する。
ユーザは、調整対象となる画像を第１の対象指定領域７３０において指定し、この画像に対する調整量（ガンマ、Ｒ値、Ｇ値、Ｂ値、明度、彩度又は色層の変更量）を調整量指定領域７２０（図６）において指定する。また、ユーザは、第２の対象指定領域７４０において、基準となる画像と、この画像と同一の調整を行う画像とを指定する。
【００４６】
調整量算出部５５０は、調整指示入力部５４０から入力された画像調整指示に応じて、指定された画像（元画像、シミュレート画像）に対する調整量を算出し、算出結果を表示画像生成部５３０及び調整履歴蓄積部５６０に出力する。
表示画像生成部５３０は、調整量算出部５５０から入力された調整量を、指定された画像（元画像、シミュレート画像）の画像データに適用する。
【００４７】
ステップ２２０（Ｓ２２０）において、調整履歴蓄積部５６０は、調整量算出部５５０から入力された調整量を、指定された画像（元画像、シミュレート画像）に対応付けて調整履歴ＤＢ５６２（図５）に格納する。
【００４８】
ステップ２３０（Ｓ２３０）において、表示部５７０は、画像表示領域７１０（図６）において、指定された画像（元画像又はシミュレート画像）を、表示画像生成部５３０により調整量が適用された画像に置換して、調整が適用された画像に更新する。
【００４９】
ステップ２４０（Ｓ２４０）において、画像処理プログラム５は、画像調整処理の終了がユーザに指示されるか否かを判定し、画像調整処理の終了が指示された場合に、画像調整処理（Ｓ２０）を終了し、これ以外の場合に、Ｓ２００の処理に戻って、次の画像調整の指示を待つ。
【００５０】
以上説明したように、本実施形態における画像処理システム１は、入力された元画像に基づいて複数の出力プロファイルに対応するシミュレート画像を生成し、生成された複数のシミュレート画像を元画像と同時に表示することにより、それぞれの画像出力特性による出力結果を比較可能にする。
また、本画像処理システム１は、画像調整の結果をシミュレート画像に反映させて表示することができるので、画像調整後の画像データに適した出力プロファイルの選択を可能にする。
また、本画像処理システム１は、画像調整の履歴を元画像及びシミュレート画像（出力プロファイル）に対応付けて管理するため、元画像及び複数のシミュレート画像それぞれについて互いに独立にバージョン管理を行うことができる。
【図面の簡単な説明】
【００５１】
【図１】画像処理システム１の全体構成を例示する図である。
【図２】タンデム型のプリンタ装置１０の構成を示す図である。
【図３】本発明にかかる画像処理方法が適応されるクライアントＰＣ４のハードウェア構成を、制御装置４０を中心に例示する図である。
【図４】クライアントＰＣ４（図１，図３）により実行され、本発明にかかる画像処理方法を実現する画像処理プログラム５の機能構成を例示する図である。
【図５】調整履歴蓄積部５６０に記憶される調整履歴データベース５６２を例示する図である。
【図６】ＵＩ装置４６に表示される表示画面７００を例示する図である。
【図７】クライアントＰＣ４（画像処理プログラム５）によるシミュレート処理（Ｓ１０）を説明するフローチャートである。
【図８】クライアントＰＣ４（画像処理プログラム５）による画像調整処理（Ｓ２０）を説明するフローチャートである。
【符号の説明】
【００５２】
４・・・クライアントＰＣ
５・・・画像処理プログラム
５１０・・・画像入力部
５２０・・・プロファイル取得部
５３０・・・表示画像生成部
５４０・・・調整指示入力部
５５０・・・調整量算出部
５６０・・・調整履歴蓄積部
５７０・・・表示部
１０・・・プリンタ装置
【図１】
2006094118.tif 000003
【図２】
2006094118.tif 000004
【図３】
2006094118.tif 000005
【図４】
2006094118.tif 000006
【図５】
2006094118.tif 000007
【図６】
2006094118.tif 000008
【図７】
2006094118.tif 000009
【図８】
2006094118.tif 000010